(57)【特許請求の範囲】
【請求項１】
基板と、
前記基板を収納する基板ケースと、
前記基板を前記基板ケースに封止するテープ状又はひも状のインジケータと、
を備え、
前記インジケータは、その内部に、外部からの空気の流入を実質的に遮断された空間を有し、その空間に、酸化によって発色又は変色する組成物を内蔵し、
前記基板ケースは、少なくとも一面が開放面である第１のケース部材と、前記開放面を閉じる第２のケース部材とから構成されるとともに、前記第１のケース部材と前記第２のケース部材とを封止する封止部材を備え、
前記インジケータの一部は、前記封止部材に固着されることを特徴とする基板の収納構造。
【請求項２】
基板と、
前記基板を収納する基板ケースと、
前記基板を前記基板ケースに封止するテープ状又はひも状のインジケータと、
を備え、
前記インジケータは、その内部に、外部からの空気の流入を実質的に遮断された空間を有し、その空間に、酸化によって発色又は変色する組成物を内蔵し、
前記インジケータは、前記基板におけるＲＯＭと重なる領域には、前記組成物を配置しないことを特徴とする基板の収納構造。
【請求項３】
基板と、
前記基板を収納する基板ケースと、
前記基板を前記基板ケースに封止するテープ状又はひも状のインジケータと、
を備え、
前記インジケータは、その内部に、外部からの空気の流入を実質的に遮断された空間を有し、その空間に、酸化によって発色又は変色する組成物を内蔵し、
前記空間は、前記インジケータの長手方向に沿って、前記長手方向における一方の端部から反対側の端部まで連続しており、前記組成物は、前記空間における一部に配置され、
前記インジケータのうち、前記組成物が配置された部分は、前記基板に接着されていることを特徴とする基板の収納構造。
【発明の詳細な説明】
【技術分野】
【０００１】
本発明は、例えば、遊技機を制御する遊技基板を基板ケースに収納する基板の収納構造に関する。
【背景技術】
【０００２】
遊技機は、それをコントロールするためのＲＯＭ等を実装した遊技基板を背面側に備えている。この遊技基板は、ベースケースと表ケースとから成る基板ケースに収納され、ベースケースと表ケースとは、不正に開放することが困難となるように（あるいは、開放すれば痕跡が残るように）封止される。
【０００３】
しかしながら、基板ケースの封止を強固にしても、２個の基板ケースから１個の基板ケースを作る不正を防ぐことは困難であった。
そこで、色つき液体を内蔵した環状チューブを、基板ケースの内側に、ベースケースと表ケースとに跨るように接着する方法が提案されている（特許文献１参照）。
【０００４】
この方法の場合、不正に基板ケースを開くと、環状チューブが破れて、色つき液体が遊技基板上に飛散して付着する。その色つき液体は、乾くと固まり、遊技基板上に痕跡が残る。結果として、２個の基板ケースから１個の基板ケースを作る不正行為を防止できる。
【先行技術文献】
【特許文献】
【０００５】
【特許文献１】特開２００３−１４４７２１号公報
【発明の概要】
【発明が解決しようとする課題】
【０００６】
しかしながら、特許文献１の方法では、検査で基板ケースを開ける場合でも、色つき液体が基板上に飛散し、この基板では遊技を行うことができなくなってしまう。
本発明は以上の点に鑑みなされたものであり、不正行為を行い難いとともに、基板ケースを開けたときでも基板が汚染されない基板の収納構造を提供することを目的とする。
【課題を解決するための手段】
【０００７】
（１）請求項１の発明は、
基板と、前記基板を収納する基板ケースと、前記基板を前記基板ケースに封止するテープ状又はひも状のインジケータと、を備え、前記インジケータは、その内部に、外部からの空気の流入を実質的に遮断された空間を有し、その空間に、酸化によって発色又は変色する組成物を内蔵し、前記基板ケースは、少なくとも一面が開放面である第１のケース部材と、前記開放面を閉じる第２のケース部材とから構成されるとともに、前記第１のケース部材と前記第２のケース部材とを封止する封止部材を備え、前記インジケータの一部は、前記封止部材に固着されることを特徴とする基板の収納構造を要旨とする。
【０００８】
本発明において、基板は、インジケータにより、基板ケースに対し封止されている。そのため、基板を取り外すためには、インジケータを切るか、インジケータと基板ケースとの接続部を破壊する必要がある。その場合、インジケータ内の空間に空気が流入して、組成物が発色又は変色するので、不正に基板を取り外す行為の痕跡を残すことができる。結果として、２個の基板ケースから１個の基板ケースを作る不正行為を防ぐことができる。
【０００９】
また、本発明では、検査等でインジケータを切った場合でも、組成物がインジケータの外部に飛散してしまうことがなく、基板を引き続き使用することができる。なお、前記組成物は、インジケータの空間内に固着させることが好ましい。こうすることにより、一層、組成物がインジケータの外部に飛散しにくくなる。
【００１０】
インジケータは、基板のうち、電子部品が実装された面に接着することが好ましい。こうすることにより、インジケータを基板から綺麗に（痕跡を残さず）取り去ることは困難となり、不正行為を防止する効果が一層高い。
【００１１】
インジケータは、組成物が発色又は変色しない状態では、全体として透明であることが好ましい。こうすることにより、インジケータを通して基板の表面を視認することができ、例えば、インジケータの取り外し痕が基板の表面にあれば、それを容易に発見することができる。
【００１２】
本発明において、基板を基板ケースに封止するとは、何らかの部材（例えばインジケータ）を破壊、もしくは部材間（例えばインジケータと基板ケースとの間）の接合を不可逆的に解消しなければ、基板を基板ケースから取り出せない状態にすることを意味する。
【００１５】
本発明では、インジケータの一部は、第１のケース部材と第２のケース部材とを封止する封止部材に固着されるので、基板ケースを開放しようとして、封止部材を切断等すると、インジケータも切断され、組成物が発色又は変色する。そのため、不正に基板ケースを開放する行為を防止できる。
【００１８】
（２）請求項２の発明では、前記インジケータは、前記基板におけるＲＯＭと重なる領域には、前記組成物を配置しない。
【００１９】
本発明では、インジケータのうち、基板のＲＯＭと重なる領域は、発色又は変色しないので、常に、インジケータを通して、ＲＯＭを視認することができる。そのため、ＲＯＭに関する不正行為の発見が一層容易である。
（３）請求項３の発明では、空間は、インジケータの長手方向に沿って、前記長手方向における一方の端部から反対側の端部まで連続しており、組成物は、空間における一部に配置されているので、インジケータのうち、空間が形成されている部分のどこかが切られれば、空間を通して空気が組成物に送られ、組成物を発色させることができる。また、組成物は、空間の全体にわたって形成する必要はなく、その一部に形成すれば足りる。
【図面の簡単な説明】
【００２０】
【図１】遊技基板７の収納構造を表側から見たときの平面図である。
【図２】図１におけるＡ−Ａ断面での断面図である。
【図３】図１におけるＢ−Ｂ断面での断面図である。
【図４】（ａ）はインジケータ９及び遊技基板７を表側から見た平面図であり、（ｂ）は、インジケータ９及び遊技基板７を、（ａ）におけるＸ方向から見た側面図であり、（ｃ）は、インジケータ９及び遊技基板７を、（ａ）におけるＹ方向から見た側面図である。
【図５】（ａ）はインジケータ９の側断面図であり、（ｂ）は、（ａ）におけるＺ方向から見たときの、スペーサ３５と空間３９との配置を表す説明図である。
【図６】遊技基板７の収納構造を表す断面図である。
【発明を実施するための形態】
【００２１】
本発明の実施形態を図面に基づいて説明する。
１．第１の実施形態
（１）基板の収納構造の概要
基板の収納構造の概要を図１〜図３に基づいて説明する。図１は本発明を適用した遊技基板の収納構造を表側から見たときの平面図である。図２は、図１におけるＡ−Ａ断面での断面図であり、図３は、図１におけるＢ−Ｂ断面での断面図である。なお、図２及び図３では、説明の都合上、下側が表側、上側が裏側となっている。
【００２２】
基板ケース１は、その内部に遊技基板７を収納し、遊技機（図示略）の背面に取り付けられる。基板ケース１は、ベースケース３と、表ケース５とから構成される。表ケース５は、裏側の１面のみが開放面となった箱状部材であり、ベースケース３は、その開放面を閉じるように、表ケース５に取り付けられる。
【００２３】
遊技基板７は、図１に示すように、その四隅をビス６で固定することで、表ケース５に対し固定される。遊技基板７は、表側に、遊技ＲＯＭをはじめとする各種電子部品を実装している。また、遊技基板７の表側には、電子部品間を接続する配線が形成されている。
【００２４】
遊技基板７の表側には、テープ状のインジケータ９が接着されている。遊技基板７のうち、インジケータ９が接着される部分には、遊技ＲＯＭ２９をはじめとする各種電子部品が実装されており、また、配線パターンが設けられている。インジケータ９の長手方向は、遊技基板７の横方向（図１における左右方向）と平行である。インジケータ９は、横方向については、遊技基板７よりもさらに外側に続き、表ケース５の壁面付近まで至っている。インジケータ９は、その両側の端部１１では、図２に示すように、断面が４角形となるように巻かれている。インジケータ９の縦方向（図１における上下方向）における長さは、遊技基板７よりも短く、縦方向については、遊技基板７の中央における一部だけが、インジケータ９に接している。
【００２５】
表ケース５の内部のうち、インジケータ９の端部１１の近傍には、裏側（図２では上方）のみが開放された箱状の端部固定部１３が形成されている。この端部固定部１３は、表ケース５の外壁１５と、外壁１５と所定の距離をおいて平行に形成された内壁１７と、外壁１５から内壁１７までの間を３方から覆う側壁１９、２１、及び中底２３から構成される。なお、端部固定部１３は、表ケース５のうち、図２に示す側とは反対側にも、同様に形成されている。
【００２６】
インジケータ９の端部１１は、この端部固定部１３内に収容される。そして、上方から、端部固定部１３内に樹脂２５を流し込むことで、インジケータ９の端部１１は、端部固定部１３に固定される。また、表ケース５のうち、図２に示す側とは反対側においても、同様に、端部１１は端部固定部１３に固定される。
（２）インジケータ９及びその周囲の構成
インジケータ９及びその周囲の構成を、図４〜図５に基づいて更に詳細に説明する。図４（ａ）はインジケータ９及び遊技基板７を表側から見た平面図であり、図４（ｂ）は、インジケータ９及び遊技基板７を、図４（ａ）におけるＸ方向から見た側面図であり、図４（ｃ）は、インジケータ９及び遊技基板７を、図４（ａ）におけるＹ方向から見た側面図である。図５（ａ）はインジケータ９の側断面図であり、図５（ｂ）は、図５（ａ）におけるＺ方向から見たときの、後述するスペーサ３５と空間３９との配置を表す説明図である。
【００２７】
上述したように、インジケータ９は、遊技基板７の表側に接着されている。図４（ａ）に示すように、インジケータ９において遊技基板７に接着されている部分の一部は、常時透明な無発色領域２７となっている。この無発色領域２７は、遊技基板７の表側に実装された遊技ＲＯＭ２９と重なる領域である。
【００２８】
インジケータ９は、図５（ａ）に示すように、第１層３１、スペーサ３５、第２層３３、及び接着剤層３７を積層した構造を有する。インジケータ９は、接着剤層３７により、遊技基板７に接着される。第１層３１、スペーサ３５、及び第２層３３は、いずれも、酸素を透過させない透明合成樹脂のフィルムから成る。スペーサ３５は、第１層３１と第２層３３との間に、局部的にのみ配置され、第１層３１と第２層３３との間において、スペーサ３５が存在しない部分には、空間３９が存在する。この空間３９の周囲は、いずれも、酸素を透過させない部材（第１層３１、スペーサ３５、第２層３３）により囲まれており、通常は、実質的に酸素が存在しない状態に保たれる。また、空間３９は、インジケータ９の長手方向に沿って、その一方の端部１１から、反対側の端部１１まで連通するように形成されている。図５（ｂ）に、空間３９とスペーサ３５の配置例を示す。なお、図５（ｂ）における横方向が、インジケータ９の長手方向である。
【００２９】
第１層３１のうち、空間３９に面する部分には、インキを塗布することで、インキ塗布層４１が形成されている。インキ塗布層４１の厚みは、空間３９の厚みよりも小さい。インキ塗布層４１は、通常の状態（酸素に曝されない状態）では透明であるが、酸素に曝されると酸化して発色する周知の組成物から成る。インキ塗布層４１は、図５（ｂ）に示すように、「破損」という文字のパターンに形成される。インジケータ９のうち、インキ塗布層４１が形成される部分は、図４（ａ）に示すように、遊技基板７に接着される部分（ただし、無発色領域２７を除く）である。
（３）基板の収納構造が奏する効果
本実施形態の基板の収納構造が奏する効果を説明する。
（i）インジケータ９は、遊技基板７に対し接着されるとともに、その両側の端部１１を、表ケース５に固定されている。すなわち、遊技基板７は、インジケータ９により、表ケース５に対し封止されている。そのため、遊技基板７を取り外すためには、インジケータ９を切るか、その端部１１を破壊する必要がある。その場合、空間３９に空気が流入して、インキ塗布層４１が発色するので、不正に遊技基板７を取り外す行為の痕跡を残すことができる。よって、２個の基板ケースから１個の基板ケースを作る不正行為を防ぐことができる。
（ii）インキ塗布層４１は、第１層３１に固着しているので、検査等でインジケータ９を切った場合でも、インキ塗布層４１がインジケータ９の外部に飛散してしまうようなことがない。そのため、検査等でインジケータ９を切った後でも、遊技基板７は汚染されず、引き続き遊技機の遊技が可能になる。
（iii）空間３９は、インジケータ９の長手方向に沿って、その一方の端部１１から、反対側の端部１１まで連通しており、インキ塗布層４１は、その空間３９の一部に形成されているので、インジケータ９のどの部分が切られても、空間３９を通して空気がインキ塗布層４１に送られ、インキ塗布層４１を発色させることができる。また、インキ塗布層４１は、空間３９の全体にわたって形成する必要はなく、その一部に形成すれば足りる。
（iv）インジケータ９は、遊技基板７のうち、電子部品が実装され、配線パターンが形成された面に接着されるので、インジケータ９を遊技基板７から綺麗に（痕跡を残さず）取り去るには時間を要する。そのため、不正行為を防止する効果が一層高い。
（v）インジケータ９は、インキ塗布層４１が発色しない状態では、全体として透明である。そのため、インジケータ９を通して遊技基板７の表面を視認することができ、仮に、インジケータ９の取り外し痕が遊技基板７の表面にあれば、容易に発見することができる。
【００３０】
また、インジケータ９のうち、遊技ＲＯＭ２９に重なる領域である無発色領域２７は常に透明であるので、仮に、インキ塗布層４１が発色した状態であっても、無発色領域２７を通して、遊技ＲＯＭ２９を視認することができる。そのため、遊技ＲＯＭ２９に関する不正行為の発見が一層容易である。
（vi）インキ塗布層４１は、文字（破損）の形に形成されているので、インキ塗布層４１の発色により、その文字が現れる。よって、不正行為（遊技基板７の封印を解除すること）が行われたことを表示する機能が一層高い。
２．第２の実施形態
（１）基板の収納構造の構成
本第２の実施形態における基板の収納構造は、基本的には、前記第１の実施形態と同様であるが、一部において相違する。以下では、図６に基づき、この相違点を中心に説明し、同様の部分は説明を省略乃至簡略化する。
【００３１】
基板ケース１は、ベースケース３と表ケース５とを封止するボス対（封止部材）４３を備える。ボス対４３は、ベースケース３側に設けられた第１ボス４５と、表ケース５側に設けられた第２ボス４７とから構成される。第１ボス４５は、第１連結部４９を介してベースケース３に取り付けられており、第２ボス４７は、第２連結部５１を介して表ケース５に取り付けられている。第１連結部４９及び第２連結部５１は、ともに、細い棒状の部材であり、切断容易である。
【００３２】
第１ボス４５は略円柱状の部材であり、その軸方向に貫通する貫通穴５３が形成されている。また、貫通穴５３の上方には、貫通穴５３に差し込まれるワンウェイネジ５５の頭５５ａを隠すために座繰り５７が形成されている。第２ボス４７は略円柱状の部材であり、その軸方向に、ワンウェイネジ５５に対応した螺合穴５９が形成されている。
【００３３】
一方、インジケータ９は、基板ケース１の内部において遊技基板７に接着されるとともに、ベースケース３と表ケース５との当接部を通り、基板ケース１の外部に引き出されている。
【００３４】
ベースケース３と表ケース５とを組み付けるとき、第１ボス４５と第２ボス４７とは、貫通穴５３及び螺合穴５９が同軸上となるように並ぶ。そして、インジケータ９は、第１ボス４５と第２ボス４７とによって挟まれる。この状態で、ワンウェイネジ５５を貫通穴５３及びインジケータ９に通し、螺合穴５９にねじ込むことで、第１ボス４５と第２ボス４７とが固定され、結果として、ベースケース３と表ケース５とが封止される。また、インジケータ９も、第１ボス４５及び第２ボス４７に対し固定される。なお、インジケータ９には、予め、ワンウェイネジ５５を通すための孔が形成されており、この部分から空間３９に酸素が流入することはない。インジケータ９は、第１ボス４５及び第２ボス４７よりも更に外側に延びており、その部分は、第２ボス４７の外側面に接着される。
【００３５】
インジケータ９における空間３９（図５参照）は、図６に示すＣ−Ｃ面を境にして、それより右側（図６における右側）の第１の空間６１と、それより左側（図６における左側）の第２の空間６３とに区分される。第１の空間６１と第２の空間６３との間は、スペーサ３５によって完全に遮断され、相互間の酸素の透過はない。第１の空間６１のうち、遊技基板７に接着された領域に、インキ塗布層４１が形成される。また、第２の空間６３のうち、第２ボス４７の外側面に接着された部分に、インキ塗布層６５が形成される。インキ塗布層４１が発色したときの色と、インキ塗布層６５とは、異なる種類のインキにより構成され、それらが発色したときの色は互いに異なる。なお、発色していないとき、インキ塗布層４１、６５はともに透明である。
（２）基板の収納構造が奏する効果
(vii)インジケータ９の一部は、ボス対４３に固着されているので、ボス対４３を切断すると、インジケータ９も切断され、インキ塗布層６５が発色する。そのため、不正に基板ケース１を開放する行為を防止できる。
【００３６】
(viii)空間３９は、インジケータ９のうち、遊技基板７を封止する部分に形成された第１の空間６１と、ボス対４３に固着される部分に形成された第２の空間６３とに区分されている。また、第１の空間６１にインキ塗布層４１が形成され、第２の空間６３に、インキ塗布層６５が形成されている。
【００３７】
よって、遊技基板７と表ケース５との封止が解除された場合はインキ塗布層４１が発色し、ボス対４３の封止が解除された場合はインキ塗布層６５が発色するので、どちらの場合であるのかを識別できる。
【００３８】
また、インキ塗布層４１が発色したときの色と、インキ塗布層６５が発色したときの色とは異なるから、上記の識別が一層容易である。
尚、本発明は前記実施の形態になんら限定されるものではなく、本発明を逸脱しない範囲において種々の態様で実施しうることはいうまでもない。
【００３９】
例えば、インキ塗布層４１、６５は、酸化されない状態では第１の色を呈し、酸化された状態になると、第１の色とは異なる第２の色に変色するものであってもよい。
また、インキ塗布層４１、６５は、文字以外の領域に塗布して（文字の部分のみを残して、その周りに塗布して）形成したものであってもよい。
【００４０】
また、インジケータ９は、テープ状ではなく、ひも状（長手方向に直交する断面が、円、楕円、多角形等）であってもよい。
また、インジケータ９により遊技基板７を基板ケースに封止する方法は、前記のもの以外であってもよい。例えば、インジケータ９の一端を遊技基板７の表側に接着し、他端を、端部固定部１３にて固定してもよい。また、インジケータ９の両側の端部１１を端部固定部１３に固定し、インジケータ９の中央部と、基板ケース１のいずれかの内面との間に、遊技基板７を挟むようにしてもよい。
【符号の説明】
【００４１】
１・・・基板ケース、３・・・ベースケース、５・・・表ケース、６・・・ビス、
７・・・遊技基板、９・・・インジケータ、１１・・・端部、１３・・・端部固定部、
１５・・・外壁、１７・・・内壁、１９、２１・・・側壁、２３・・・中底、
２５・・・樹脂、２７・・・無発色領域、２９・・・遊技ＲＯＭ、３１・・・第１層、
３３・・・第２層、３５・・・スペーサ、３７・・・接着剤層、
３９、６１、６３・・・空間、４１、６５・・・インキ塗布層、４３・・・ボス対、
４５・・・第１ボス、４７・・・第２ボス、４９・・・第１連結部、
５１・・・第２連結部、５３・・・貫通穴、５５・・・ワンウェイネジ、
５５ａ・・・頭、５７・・・座繰り、５９・・・螺合穴、６１・・・第１の空間、
６３・・・第２の空間
【図１】
0005942352.tif 000002
【図２】
0005942352.tif 000003
【図３】
0005942352.tif 000004
【図４】
0005942352.tif 000005
【図５】
0005942352.tif 000006
【図６】
0005942352.tif 000007